(57)【特許請求の範囲】
【請求項１】
互いに出射光の特性が異なる複数の光源と、
外部電源から出力される電圧を基に電源電圧を生成する電源回路と、
前記電源電圧によって駆動される制御回路と、を備え、
前記制御回路は、前記電源電圧の低下を検出する検出部と、前記電源電圧を基に前記検出部を駆動するための検出部用電源電圧を生成する電圧生成部と、を有し、
前記電圧生成部は電圧降下部と電圧保持部を有し、
前記制御回路は、前記検出部によって前記電源電圧の低下を検出し、その検出に基づいて前記複数の光源の点灯状態を制御し、
前記制御回路は、前記電源電圧が低下していないとき及び前記電源電圧が低下しているときの両方において前記検出部用電源電圧のみにより動作可能であり、前記電源電圧の低下により初期の選択状態にする機能を有し、
前記複数の光源の全体又は一部に前記電源電圧が供給され、
前記初期は、前記複数の光源の全体に前記電源電圧が供給されていない状態が所定の時間以上続いてから、前記複数の光源の全体又は一部に前記電源電圧が供給される状態に切り替わったときを意味することを特徴とする、
照明装置。
【請求項２】
前記電圧生成部は、前記電圧保持部として容量を有し、
前記容量にて前記制御回路が駆動可能な時間は、前記検出部が前記電源電圧の低下を検知する時間よりも長いことを特徴とする、
請求項１に記載の照明装置。
【請求項３】
前記制御回路は、
前記初期において前記複数の光源の選択状態を第１の選択状態とし、
前記電源電圧の低下が検出されてから第１の時間が経過すると前記複数の光源の選択状態を別の選択状態に遷移させ、
前記電源電圧の低下が検出されてから前記第１の時間より長い前記所定の時間が経過するか、あるいは前記検出部用電源電圧の低下により前記制御回路がリセットされると前記複数の光源の選択状態を前記第１の選択状態にすることを特徴とする、
請求項１または請求項２に記載の照明装置。
【請求項４】
前記電源回路は調光信号に応じて出力電流の値を調整することを特徴とする、
請求項１〜３のいずれか一項に記載の照明装置。
【請求項５】
前記制御回路が前記調光信号を生成することを特徴とする、
請求項４に記載の照明装置。
【発明の詳細な説明】
【技術分野】
【０００１】
本発明は、発光ダイオード（以下、ＬＥＤという）等の発光素子を光源として備える照明装置に関する。
【背景技術】
【０００２】
照明装置に用いられる光源として、従来から使用されている白熱灯や蛍光灯に代わり、ＬＥＤの占める割合が近年、急増している。一般家庭では商用交流電源を使用することが多く、ＬＥＤの多くは直流で駆動するため、交流電源から直流電流を得るための電源装置が照明装置に内蔵あるいは別途用意される。【０００３】
図１１を用いて、従来の一般的なＬＥＤ照明装置の動作を説明する。図１１に示すＬＥＤ照明装置１１００は、交流電源１０１から出力される交流電圧を用いて、発光素子であるＬＥＤ群１４０を点灯させることで機能する照明装置の一例である。なお、説明を簡単にするために、構成や機能は単純化している。【０００４】
交流電源１０１は、例えばＡＣ１００Ｖ／６０Ｈｚの一般家庭用の商用交流電源である。電源回路１１０は、交流電源１０１から出力される交流電圧を直流電圧に変換し、その直流電圧をアノード線１１１−カソード線１１２間に印加し、ＬＥＤ群１４０を駆動点灯させる。図ではＬＥＤ群１４０として１０個のＬＥＤを直列に接続したものを記載しているが、直列数や並列数は必要に応じて変更して構わないし、単一のＬＥＤであってもよい。多くの場合、ＬＥＤは直流で電流駆動させる。したがって、電源回路１１０は、交流電源１０１から出力される交流電力を基に所定の電流量の直流電力を生成する直流電源である。【０００５】
次に図１２を用いて、色切り替え機能を有する従来のＬＥＤ照明装置の動作を説明する。図１２に示すＬＥＤ照明装置１２００は、交流電源１０１からＬＥＤ照明装置１２００への電力供給をＯＦＦし、所定の時間内に再び交流電源１０１からＬＥＤ照明装置１２００への電力供給をＯＮすることで発光する色温度を変化させる機能を有する。色温度の切り替えに電源スイッチＳＷ１を使用するため、電源スイッチＳＷ１以外に特段の制御手段を備える必要が無いというメリットを有する。【０００６】
図１２に示すＬＥＤ照明装置１２００は、異なる色温度を有するＬＥＤ群１４１とＬＥＤ群１４２を備える。いずれかのＬＥＤ群を選択的に点灯させることにより、異なる色温度の発光を得ることができる。ＬＥＤ群１４１とＬＥＤ群１４２は、アノード側は共通のアノード線１１１に接続されるが、カソード側はそれぞれ異なるカソード線１３１、カソード線１３２に接続される。切り替え回路１３０は、カソード線１３１とカソード線１３２のどちらか一方をカソード線１１２に電気的に接続する。電源回路１１０により所定の電流量の直流電力がアノード線１１１−カソード線１１２間に供給され、切り替え回路１３０によりカソード側がカソード線１１２に電気的に接続されたＬＥＤ群のみが点灯する。【０００７】
制御回路１２０は、切り替え信号線１２１および１２２を用いて切り替え回路１３０を制御する。つまり、カソード線１３１とカソード線１３２のいずれがカソード線１１２に電気的に接続されるかは、制御回路１２０により決定される。制御回路１２０は、スイッチＳＷ１がＯＮ状態であるときに交流電源１０１の一方のノードと同電位であるモニター線１０２の電圧をモニターすることで、交流電源１０１からＬＥＤ照明装置１２００への電力供給のＯＮ／ＯＦＦを検知する。制御回路１２０は、交流電源１０１からＬＥＤ照明装置１２００への電力供給がＯＦＦになり、所定の時間内に再び交流電源１０１からＬＥＤ照明装置１２００への電力供給がＯＮになると切り替え信号線１２１および１２２を用いて発光させるＬＥＤ群を切り替える。【０００８】
制御回路１２０を動作させる電源電圧は、電源回路１５０にて生成される。電源回路１５０は、整流器や平滑手段を備えた電源回路であり、交流電源１０１から出力される交流電圧を制御回路１２０の動作に要する直流電圧に変換し、その直流電圧を制御回路１２０に供給する。交流電源１０１からＬＥＤ照明装置１２００への電力供給をＯＦＦすると同時に電源回路１５０から制御回路１２０への電力供給が途絶えることがないよう、電源回路１５０は、生成した直流電圧がある程度の期間保持されるよう、コンデンサを備える。【０００９】
以上の構成にて、ＬＥＤ照明装置１２００は所望の色温度切り替えの機能を実現できる。【００１０】
ＬＥＤ照明装置１２００で使われる制御回路１２０と切り替え回路１３０の一例を図１３に示して説明する。【００１１】
制御回路１２０を駆動する直流電圧が印加される電源線１４０１および１４０２は、図１２に示すＬＥＤ照明装置１２００ではそれぞれ電源線１５１および１５２に相当する。電源線１４０１−電源線１４０２間の電圧を電源電圧として、マイクロコントローラ２１０は動作する。【００１２】
ノードＮ１はマイクロコントローラ２１０が電圧レベルを判定するためのノードである。ノードＮ１の電圧は、モニター線１０２に直列接続されるダイオードＤ２、抵抗Ｒ１、および抵抗Ｒ２と、抵抗Ｒ２に並列接続されるコンデンサＣ４とによって定まり、交流電源１０１からＬＥＤ照明装置１２００への電力供給のＯＮ／ＯＦＦを判定するために使用される。コンデンサＣ４は、交流のリップルを抑制するためとノイズによる変動を防止するために設けられている。交流電源１０１からＬＥＤ照明装置１２００への電力供給がＯＦＦになると、ノードＮ１の電圧は所定のレベル未満となる。一方、交流電源１０１からＬＥＤ照明装置１２００への電力供給がＯＮの場合はノードＮ１の電圧が所定のレベル以上となる。【００１３】
マイクロコントローラ２１０は、交流電源１０１からＬＥＤ照明装置１２００への電力供給のＯＮ／ＯＦＦを検知して点灯するＬＥＤ群を選択するために切り替え信号線１２１および１２２の電圧レベルを切り替え、いずれか一方をＨｉｇｈレベル、他方をＬｏｗレベルにする。【００１４】
切り替え回路１３０は、抵抗Ｒ３〜Ｒ６、フォトカプラＰＣ１、およびスイッチング素子Ｑ１を用い、切り替え信号線１２２がＨｉｇｈレベルのときはスイッチング素子Ｑ１をＯＦＦ状態にし、切り替え信号線１２２がＬｏｗレベルのときはスイッチング素子Ｑ１をＯＮ状態にする。また、切り替え回路１３０は、抵抗Ｒ７〜Ｒ１０、フォトカプラＰＣ２、およびスイッチング素子Ｑ２を用い、切り替え信号線１２１がＨｉｇｈレベルのときはスイッチング素子Ｑ２をＯＦＦ状態にし、切り替え信号線１２１がＬｏｗレベルのときはスイッチング素子Ｑ２をＯＮ状態にする。図１３に示す例では、スイッチング素子Ｑ１、Ｑ２にはＮ型ＭＯＳ−ＦＥＴを用いている。これらの動作により、切り替え信号線１２１がＨｉｇｈレベルで切り替え信号線１２２がＬｏｗレベルのときはカソード線１３１がカソード線１１２に電気的に接続され、従ってＬＥＤ群１４１が点灯する。切り替え信号線１２１がＬｏｗレベルで切り替え信号線１２２がＨｉｇｈレベルのときはカソード線１３２がカソード線１１２に電気的に接続され、従ってＬＥＤ群１４２が点灯する。【００１５】
切り替え回路１３０にフォトカプラが用いられるのは、マイクロコントローラ２１０の電源電圧となる電源線１４０１−電源線１４０２間の電圧（電源線１５１−電源線１５２間の電圧）と、電源回路１１０により生成されるアノード線１１１−カソード線１１２間の電圧との電位差が大きい、あるいは絶縁されていることが多いためである。【００１６】
マイクロコントローラ２１０に要求される仕様は、ノードＮ１の電圧レベルを判定するためのコンパレータまたはＡＤコンバータを有すること、切り替え信号線１２１および１２２にＨｉｇｈレベルまたはＬｏｗレベルの電圧を出力するための汎用出力端子を有することである。また、ノードＮ１の電圧を電源電圧としてコンデンサＣ４に保持された電圧で出来るだけ長時間動作するため、マイクロコントローラ２１０は、比較的広い電源電圧範囲で動作し、消費電流が小さいことが望ましい。更には、マイクロコントローラ２１０は、オシレータを内蔵することや電源電圧低下時に確実にリセットするためにリセット機能を有することが望ましい。これらの機能は、低コストの８ビットマイクロコントローラでも十分に実現できるものである。マイクロコントローラを用いずとも汎用ロジック回路でも同様の機能は実現可能である。【００１７】
次に、図１４を用いて、ＬＥＤ照明装置１２００と同様の機能を有するＬＥＤ照明装置１４００を説明する。ＬＥＤ照明装置１４００は電源回路１１０の内部のノードを用い、制御回路１２０の駆動電源の生成を簡略化するものである。【００１８】
電源回路１１０は、交流電源から出力される交流電圧を直流電圧に変換する電源生成回路１７０と、ＬＥＤ群１４１および１４２を駆動する電流を制御する電流制御回路１９０と、電流制御回路１９０を制御するための電源ＩＣ１８０とを備える。ＬＥＤの電流制御にはオープン／ショート検出やその他のエラー処理等の処理が要望されるため、多くの場合はディスクリートではなく必要な機能を備えた電源ＩＣを用いることで小型化、低コスト化、設計容易化を果たしている。電源ＩＣの仕様は様々であるが、ロジカルな動作のためにロジック用電圧を要することが多く、通常、直流９〜３０Ｖ程度が使用される。電源ＩＣ１８０は、必要に応じて設けられた制御ノード線群１８１を用い、電流制御回路１９０にてＬＥＤ群１４１および１４２を駆動する電流を制御する。電源生成回１７０は、整流器や平滑回路を用いて交流電源から出力される交流電圧を直流電圧に変換し、その直流電圧を電源線１７１−基準電位線１７２間に印加する。また、電源生成回路１７０は、降圧回路や変圧回路等、また必要であれば変圧器などを用い、電源ＩＣ１８０を駆動するための駆動電圧Ｖｃｃを生成し、その駆動電圧Ｖｃｃを電源線１７３に印加する。なお、電源生成回路１７０と電流制御回路１９０は機能の説明のために明確に分離して図示しているが、実際には明確に分離できるものではないことが多い。例えばＬＥＤ群１４１および１４２を駆動する電流の制御のためにトランスを用いて変圧が行われると同時に同じトランスで電源ＩＣ１８０を駆動するための駆動電圧Ｖｃｃが生成される等、全体として機能を果たすために入り混じった構成になることが多い。【００１９】
ＬＥＤ照明装置１４００において制御回路１２０の駆動に要する電源電圧は、ＬＥＤ照明装置１１００のように独自に交流電圧から生成するのではなく、電源ＩＣ１８０の動作のために電源生成回路１７０が生成した駆動電圧Ｖｃｃを基に電源生成回路１６０が生成する。制御回路１２０は、電源生成回路１６０によって生成され電源線１６１に印加される電源電圧と、電源生成回路１７０によって生成され基準電位線１７２に印加される基準電位とにより駆動される。ＬＥＤ照明装置１４００におけるその他の動作は、ＬＥＤ照明装置１１００と同様である。【００２０】
電源生成回路１６０の一例を図１５に示す。３端子レギュレータＵ１は、電源ＩＣ１８０の動作のために生成され電源線１７３に印加されている駆動電圧Ｖｃｃ（直流９〜３０Ｖ程度であることが多い）から、制御回路１２０の動作に必要な電源電圧を生成して電源線１６１に印加する。３端子レギュレータＵ１によって生成される電源電圧は、通常マイクロコントローラを内蔵している制御回路１２０の動作のために、直流１．５〜５Ｖ程度であることが多い。したがって電源生成回路１６０の機能は単純な降圧であり、図１５に示す例のように３端子レギュレータを用いることが簡便である。３端子レギュレータＵ１の出力側に設けられるダイオードＤ１およびコンデンサＣ３は、交流電源１０１から電源生成回路１７０への電力供給がＯＦＦであるときに、逆流防止と電圧保持が実施され、電源線１７３に印加される駆動電圧Ｖｃｃが低下してもしばらくの間制御回路１２０を稼働させるために備えられている。【００２１】
以上、電源スイッチＳＷ１の操作のみで色温度を変更できるＬＥＤ照明装置の例を２つ説明した。別の例として、特許文献１においても交流電源からＬＥＤ照明装置への電力供給のＯＮ／ＯＦＦにより色温度を切り替えるＬＥＤ照明装置が提示されている。また、特許文献２においても、交流電源からＬＥＤ照明装置への電力供給のＯＮ／ＯＦＦによる切り替えではないが位相調光によりＬＥＤ群の点灯状況を切り替えるＬＥＤ照明装置が提示されており、類似した構成となっている。
【先行技術文献】
【特許文献】
【００２２】
【特許文献１】特開２０１４−７１６４号公報
【特許文献２】特開２０１０−２０５７３８号公報
【発明の概要】
【発明が解決しようとする課題】
【００２３】
従来の技術でも、交流電源からＬＥＤ照明装置への電力供給のＯＮ／ＯＦＦにより発光対象を切り替えることで色温度や明るさを切り替えることのできるＬＥＤ照明装置は実現されている。しかしながら、電源回路の追加や変更が必要なために設計の難易度が高い。電源回路を追加する場合、ノイズ防止や安全対策等が独自に必要であり、そのために部品点数もかなり増加する。電源回路を変更する場合は、変更前の電源回路の動作を熟知した上で悪影響のないよう細心の注意を払って変更しなければならない。いずれの対応にしても、多くの場合は切り替えのために絶縁手段やレベルシフト回路が必要となるため部品点数が増加し、大型化やコストの増大の原因となる。【００２４】
本発明は、上記の状況に鑑み、簡単な構成で外部電源からＬＥＤ照明装置への電力供給のＯＮ／ＯＦＦにより複数の光源の点灯状態を遷移することができる照明装置を提供することを目的とする。
【課題を解決するための手段】
【００２５】
上記目的を達成するために本発明に係る照明装置は、複数の光源と、外部電源から出力される電圧を基に電源電圧を生成する電源回路と、前記電源電圧によって駆動される制御回路と、を備え、前記制御回路は、前記電源電圧の低下を検出し、その検出に基づいて前複数の光源の点灯状態を制御し、前記複数の光源の全体又は一部に前記電源電圧が供給される構成（第１の構成）とする。【００２６】
上記第１の構成の照明装置において、前記制御回路は、前記電源電圧の低下を検出する検出部と、前記電源電圧を基に前記検出部を駆動するための検出部用電源電圧を生成する電圧生成部と、を有し、前記電圧生成部は、前記検出部用電源電圧を保持するための容量を有する構成（第２の構成）とすることが好ましい。【００２７】
上記第１又は第２の構成の照明装置において、前記制御回路は、前記電源電圧を放電し且つ前記検出部及び前記電圧生成部に含まれない放電素子を有する構成（第３の構成）とすることが好ましい。【００２８】
上記第１〜第３のいずれかの構成の照明装置において、前記制御回路は、初期状態において前記複数の光源の選択状態を第１の選択状態とし、前記電源電圧の低下が検出されてから第１の時間が経過した場合、前記複数の光源の選択状態を別の選択状態に遷移させ、前記電源電圧の低下が検出されてから前記第１の時間を超えて第２の時間が経過した場合、前記複数の光源の選択状態を前記第１の選択状態にする構成（第４の構成）とすることが好ましい。【００２９】
上記第１〜第４のいずれかの構成の照明装置において、前記電源回路は調光信号に応じて出力電流の値を調整する構成（第５の構成）とすることが好ましい。【００３０】
上記第５の構成の照明装置において、前記制御回路が前記調光信号を生成する構成（第６の構成）とすることが好ましい。【００３１】
上記第６の構成の照明装置において、外部から前記調光信号が供給され、前記制御回路によって生成される前記調光信号の内容と外部から供給される前記調光信号の内容とが一致しない場合には、前記電源回路がいずれか一方を優先する構成（第７の構成）とすることが好ましい。
【発明の効果】
【００３２】
本発明に係る照明装置によれば、簡単な構成で外部電源からＬＥＤ照明装置への電力供給のＯＮ／ＯＦＦにより複数の光源の点灯状態（色温度や明るさ）を遷移することができる。【００３３】
本発明に係る照明装置は、簡単な構成であるため、上記の点灯状態遷移機能を有する従来の照明装置と比べ、部品点数の増加や回路規模の拡大、コストの増大を大幅に抑制できる。また、設計が格段に容易で、上記の点灯状態遷移機能を備えない照明装置の電源回路を変更することなく実現することもできる。
【図面の簡単な説明】
【００３４】
【図１】本発明の第１実施形態に係る照明装置の構成を示す図である。
【図２】図１に示すＬＥＤ照明装置で使われる制御回路と切り替え回路の一例を示す図である。
【図３】図１に示すＬＥＤ照明装置で使われる制御回路の他の例を示す図である。
【図４】図１に示す照明装置の点灯状態の遷移例を示す図である。
【図５】図１に示す照明装置の点灯状態の他の遷移例を示す図である。
【図６】図１に示す照明装置の動作を説明するためのタイミングチャートである。
【図７】本発明の第２実施形態に係る照明装置の構成を示す図である。
【図８】本発明の第３実施形態に係る照明装置の構成を示す図である。
【図９】本発明の第４実施形態に係る照明装置の構成を示す図である。
【図１０】図９に示す照明装置の点灯状態の遷移例を示す図である。
【図１１】従来の照明装置の一構成例を示す図である。
【図１２】色切り替え機能を有する従来の照明装置の一構成例を示す図である。
【図１３】図１２に示すＬＥＤ照明装置で使われる制御回路と切り替え回路の一例を示す図である。
【図１４】色切り替え機能を有する従来の照明装置の他の構成例を示す図である。
【図１５】図１４に示すＬＥＤ照明装置で使われる電源生成回路の一例を示す図である。
【発明を実施するための形態】
【００３５】
以下、図面を参照して本発明の各実施形態を説明する。
【００３６】
＜第１実施形態＞
図１〜図６を用いて、本発明の第１実施形態に係るＬＥＤ照明装置１００について説明する。
【００３７】
ＬＥＤ照明装置１００は、交流電源１０１からＬＥＤ照明装置１００への電力供給をＯＦＦし、所定の時間内に再び交流電源１０１からＬＥＤ照明装置１００への電力供給をＯＮすることで発光する色温度を変化させる機能を有するＬＥＤ照明装置である。ＬＥＤ照明装置１２００やＬＥＤ照明装置１４００との共通点が多いため、相違点のみ説明する。
【００３８】
制御回路１２０を駆動するための電源電圧は、アノード線１１１−カソード線１１２間に印加される。また、交流電源１０１からＬＥＤ照明装置１００への電力供給のＯＮ／ＯＦＦを検知するため、制御回路１２０は、スイッチＳＷ１がＯＮ状態であるときに交流電源１０１の一方のノードと同電位であるモニター線の電圧をモニターするのではなく、アノード線１１１−カソード線１１２間の電圧をモニターする。交流電源１０１からＬＥＤ照明装置１００への電力供給がＯＦＦになると、電源回路１１０はＬＥＤ群１４１および１４２を駆動することができなくなり、アノード線１１１−カソード線１１２間の電圧が判定閾値より低くなり、消灯に至る。制御回路１２０は、アノード線１１１−カソード線１１２間の電圧が判定閾値より低くなっている状態を交流電源１０１からＬＥＤ照明装置１００への電力供給がＯＦＦになっている状態とみなして、切り替え回路１３０を制御している。
【００３９】
次に、ＬＥＤ照明装置１００で使われる制御回路１２０と切り替え回路１３０の一例を図２に示して説明する。マイクロコントローラ２１０を駆動するための電源電圧として、電源ノードＮ２−基準電位線１７２間の電圧が用いられる。電源ノードＮ２の電圧は、アノードライン１１１−カソードライン１１２間の電圧を基に、抵抗Ｒ１、ツェナーダイオードＺＤ１、およびダイオードＤ１を用いて生成される。ダイオードＤ１は、交流電源１０１からＬＥＤ照明装置１００への電力供給がＯＦＦであるときに逆流を防止するために設けられる。また、コンデンサＣ１は、交流電源１０１からＬＥＤ照明装置１００への電力供給がＯＦＦになった後もマイクロコントローラ２１０がしばらく機能するために設けられる。例えばツェナーダイオードＺＤ１にはツェナー電圧が５．１Ｖのものを使用し、ダイオードＤ１には順電圧が比較的低いショットキーバリアダイオードを使用することで、電源ノードＮ２の電圧を５Ｖ弱に設定することができる。抵抗Ｒ１は電源ノードＮ２の電圧が過電圧になることを防止するが、抵抗Ｒ１とツェナーダイオードＺＤ１の経路で流す電流が過剰にならない、かつ電源ノードＮ２の電圧を生成するのに十分な電流を流すことのできるように、抵抗Ｒ１の抵抗値を調整する必要がある。抵抗Ｒ１に替えて定電流ダイオードやトランジスタを用いた電流制御手段を用いることも可能である。
【００４０】
アノード線１１１−カソード線１１２間の電圧は抵抗Ｒ２と抵抗Ｒ３によって分圧され、ノードＮ１の電圧はアノード線１１１−カソード線１１２間の電圧の分圧となる。マイクロコントローラ２１０は、ノードＮ１の電圧が所定のレベル（判定閾値を抵抗Ｒ２およびＲ３で抵抗分割した値と同一のレベル）以上であれば、ＬＥＤ群１４１とＬＥＤ群１４２のいずれかが駆動されている、すなわち交流電源１０１からＬＥＤ照明装置１００への電力供給がＯＮであると判断する。また、マイクロコントローラ２１０は、ノードＮ１の電圧が所定のレベル未満であれば、ＬＥＤ群１４１とＬＥＤ群１４２のいずれもが駆動されていない、すなわち交流電源１０１からＬＥＤ照明装置１００への電力供給がＯＦＦであると判断する。ＰＷＭ調光や電源回路のスイッチング動作などによりＬＥＤ群１４１および１４２が間欠駆動する場合、あるいはアノード線１１１−カソード線１１２間の電圧が突発的に低下にする場合に備え、ノードＮ１にはローパスフィルタが備えられることが望ましい。そのため、ノードＮ１とカソード線１１２との間にコンデンサＣ２が設けられ、ローパスフィルタとして機能するＲＣフィルタがコンデンサＣ２と抵抗Ｒ２との組み合わせによって構成される。
【００４１】
交流電源１０１からＬＥＤ照明装置１００への電力供給がＯＮからＯＦＦに切り替わったとき、アノード線１１１−カソード線１１２間の電圧は必ずしも急速に低下するとは限らない。通常、電源回路１１０は出力リップルの防止等を目的として十分に大きな容量の出力コンデンサを有しており、この出力コンデンサの放電は緩やかに進行する。図２に示す制御回路１２０では、抵抗Ｒ１とツェナーダイオードＺＤ１の経路と、抵抗Ｒ２と抵抗Ｒ３の経路とは、アノード線１１１−カソード線１１２間の電圧を放電する役割も担う。これらの経路には点灯状態でも電流が流れ電力損失が生じるため、電力損失と電力供給ＯＦＦの反応速度とはトレードオフの関係となる。点灯状態時の電力損失を抑制するために、これらの経路にスイッチング素子を追加し、マイクロコントローラ２１０にて制御し、追加したスイッチング素子が点灯状態時にＯＦＦ状態になるようにすることも可能である。
【００４２】
マイクロコントローラ２１０は、ノードＮ１の電圧から判定した交流電源１０１からＬＥＤ照明装置１００への電力供給のＯＮ／ＯＦＦの情報に基づいて点灯させるＬＥＤ群を判断し、切り替え信号線１２１の電圧および切り替え信号線１２２の電圧を用いて切り替え回路１３０を制御する。切り替え回路１３０は２つのスイッチング素子からなり、図２に示す構成例では２つのスイッチング素子としてＮ型のＭＯＳ−ＦＥＴを用いている。切り替え信号線１２１の電圧がＨｉｇｈレベルのときスイッチング素子Ｑ１はＯＮ状態になり、カソード線１３１はカソード線１１２と電気的に接続される。これにより、ＬＥＤ群１４１が点灯する。切り替え信号線１２２の電圧がＨｉｇｈレベルのときスイッチング素子Ｑ２はＯＮ状態になり、カソード線１３２はカソード線１１２と電気的に接続される。すなわち、ＬＥＤ群１４２が点灯する。
【００４３】
切り替え回路１３０内のＭＯＳ−ＦＥＴはマイクロコントローラ２１０の駆動電圧によりゲート電圧を与えられる。Ｌｏｗ出力はカソード線１１２の電位が出力されるので、これらのＭＯＳ−ＦＥＴのゲート−ソース間電圧はゼロとなり、ＭＯＳ−ＦＥＴはＯＦＦ状態になる。Ｈｉｇｈ出力はノードＮ２の電圧、つまりカソード線１１２を基準にして５Ｖ程度であり、ＭＯＳ−ＦＥＴのゲート閾値電圧が５Ｖ程度なのでＭＯＳ−ＦＥＴをＯＮ状態にすることができる。マイクロコントローラ２１０とスイッチング素子Ｑ１およびＱ２とは同じ電位を基準に動作しており、使用する電圧も十分に小さいため、フォトカプラ等を用いた絶縁手段は不要である。もしゲート電圧が５Ｖでは不足の場合は、アノード線１１１を利用してさらに高い電圧へシフトさせればよい。
【００４４】
ＬＥＤ照明装置１００で使われる制御回路１２０の他の例を図３に示して説明する。図２に示した制御回路１２０との相違点は、マイクロコントローラ２１０の動作電圧であるノードＮ２の電圧の生成方法が異なることと、抵抗Ｒ４が付加されていることである。
【００４５】
図３に示す制御回路１２０では、ノードＮ２の電圧は主に３端子レギュレータＵ０による降圧動作で生成される。一般に３端子レギュレータは、異常発生時に危険な動作とならないためのある程度の対策（例えば過電流保護回路や過熱保護回路の付加など）が講じられ、また降圧の効率も良く、最大出力電流も高い。従って、図３に示す制御回路１２０は、図２に示した制御回路１２０と比較して比較的安全で、かつ電圧の生成を高速化することができる。
【００４６】
既に説明したように、交流電源１０１からＬＥＤ照明装置１００への電力供給がＯＮからＯＦＦに切り替わったときにアノード線１１１−カソード線１１２間の電圧を急速に放電する手段を用意することで、交流電源１０１からＬＥＤ照明装置１００への電力供給がＯＦＦになっていることの検出を高速化できるが、抵抗Ｒ４は放電のためだけに備えられる。アノード線１１１−カソード１１２間の電圧が高く、かつ放電のために大きな電流を流すと、消費される電力も大きなものになり、定格が大きい部品が必要となる。図３に示す制御回路１２０のように、放電の役割を担う部位を抵抗Ｒ４に集中させると、大きな定格を要する部品を抵抗Ｒ４に限定することができる。
【００４７】
このように制御回路１２０は、要求される特性などに応じて様々な構成をとることが可能である。
【００４８】
以上のように、ＬＥＤ照明装置１００は、非常に簡単な回路構成にて発光する色温度を切り替える機能を実現する。
【００４９】
ここで図４を用いて、マイクロコントローラ２１０が制御する色温度切り替えの状態遷移の一例を説明する。ステートＳ４０１〜ステートＳ４０４は点灯するために必要なＬＥＤ群の選択状態であり、選択されているＬＥＤ群は駆動電流が印加されれば点灯するＬＥＤ群である。初期の選択状態はステートＳ４０１である。ＬＥＤ群ＡはＬＥＤ群Ｂよりも色温度が低く、ＬＥＤ群１４１および１４２の一方がＬＥＤ群Ａであり他方がＬＥＤ群Ｂである。
【００５０】
ステートＳ４０１では電力供給がＯＮのときＬＥＤ群ＡのみがＯＮ（点灯）するので、ＬＥＤ照明装置１００は色温度の高い発光となる。ステートＳ４０１において、電源スイッチＳＷ１の操作によって交流電源１０１からＬＥＤ照明装置１００への電力供給をＯＦＦし、第１の時間が経過すると、ステートＳ４０２に移行する。この状態で再び電力供給をＯＮすると、ステートＳ４０２にて点灯する。ステートＳ４０２ではＬＥＤ群ＡとＬＥＤ群Ｂの両方がＯＮ（点灯）するので、ＬＥＤ照明装置１００の発光は中間の色温度となる。
【００５１】
その後同様の操作を３回繰り返すと、ステートＳ４０３、ステートＳ４０４と移行してからステートＳ４０１に戻る。ステートＳ４０３では電力供給がＯＮのときＬＥＤ群ＢのみがＯＮ（点灯）するので、ＬＥＤ照明装置１００は色温度の低い発光となる。ステートＳ４０４ではステートＳ４０２と同様に電力供給がＯＮのときＬＥＤ群ＡとＬＥＤ群Ｂの両方がＯＮ（点灯）するので、ＬＥＤ照明装置１００の発光は中間の色温度となる。すなわち、電源スイッチＳＷ１をＯＦＦした後に第１の時間内に再びＯＮするという操作の繰り返しにより、色温度は、高い→中間→低い→中間→高い→・・・とループする。いずれの選択状態であっても、上記のステートを移行する第１の時間よりも長い第２の時間交流電源１０１からＬＥＤ照明装置１００への電力供給がＯＦＦになると、初期の選択状態であるステートＳ４０１（高い色温度）となる。したがって、長時間の電力供給ＯＦＦの後に再び電力供給をＯＮすると、ステートＳ４０１の選択状態で点灯、すなわち高い色温度となる。
【００５２】
次に図５を用いて、マイクロコントローラ２１０が制御する色温度切り替えの状態遷移の他の例を説明する。ステートＳ５０１、ステートＳ５０２は点灯するために必要なＬＥＤ群の選択状態であり、選択されているＬＥＤ群は駆動電流が印加されれば点灯するＬＥＤ群である。初期の選択状態はステートＳ５０１である。
【００５３】
交流電源１０１からＬＥＤ照明装置１００への電力供給をＯＦＦし、第１の時間が経過すると、ステートＳ５０１とステートＳ５０２を交互に遷移する。ステートＳ５０１では電力供給がＯＮのときＬＥＤ群ＡのみがＯＮ（点灯）するので、ＬＥＤ照明装置１００は色温度の高い発光となる。ステートＳ５０２では電力供給がＯＮのときＬＥＤ群ＢのみがＯＮ（点灯）するので、ＬＥＤ照明装置１００は色温度の低い発光となる。すなわち、図５に示す例では、電源スイッチＳＷ１をＯＦＦした後に第１の時間内に再びＯＮするという操作の繰り返しにより、色温度は、高い→低い→高い→・・・というように交互に繰り返しとなる。どちらの選択状態であっても、上記のステートを移行する第１の時間よりも長い第２の時間交流電源１０１からＬＥＤ照明装置１００への電力供給がＯＦＦになると、初期の選択状態であるステートＳ５０１（高い色温度）となる。したがって、長時間の電力供給ＯＦＦの後に再び電力供給をＯＮすると、ステートＳ４０１の選択状態で点灯、すなわち高い色温度となる。
【００５４】
次に図６を用いて、ＬＥＤ照明装置１００の動作の詳細を時系列で説明する。図６は、マイクロコントローラ２１０が図５に示す選択状態の遷移にて動作する場合のタイミングチャートである。ＬＥＤ群ＡはＬＥＤ群１４１に相当し、ＬＥＤ群ＢはＬＥＤ群１４２に相当する。
【００５５】
図中のＡＣ電源入力は、交流電源１０１からＬＥＤ照明装置１００への電力供給のＯＮ／ＯＦＦの状態を示している。図中のアノード‐カソード電圧は、アノード線１１１とカソード線１１２間の電圧を示している。図中のオフ検出は、マイクロコントローラ２１０がノードＮ１の電圧に基づいて交流電源１０１からＬＥＤ照明装置１００への電力供給がＯＦＦになっている状態を判定した状況を示しており、Ｈｉｇｈ側が交流電源１０１からＬＥＤ照明装置１００への電力供給がＯＦＦになっているとみなしたことを示している。図中のマイコン電圧はノードＮ２の電圧である。図中のゲート電圧１はスイッチング素子Ｑ１のゲート電圧である。図中のＬＥＤ電流１はＬＥＤ群１４１に流れる電流である。図中のゲート電圧２はスイッチング素子Ｑ２のゲート電圧である。図中のＬＥＤ電流２はＬＥＤ群１４２に流れる電流である。
【００５６】
時刻ｔ０で交流電源１０１からＬＥＤ照明装置１００への電力供給がＯＦＦからＯＮに切り替わる。アノード‐カソード電圧は上昇し、ＬＥＤ群に所定の電流を流すようになる電圧で一定となる。また、アノード‐カソード電圧が判定閾値以上になれば、オフ検出はＨｉｇｈからＬｏｗに切り替わる。マイコン電圧はアノード‐カソード電圧の上昇に伴い上昇する。マイコン電圧の上昇が完了したときの選択状態は、図５に示すステートＳ５０１となる。ゲート電圧１はマイクロコントローラ２１０のＨｉｇｈレベル、すなわちマイコン電圧と等しく、スイッチング素子Ｑ１はＯＮ状態になる。ゲート電圧２はマイクロコントローラ２１０のＬｏｗレベル、すなわちカソード線１１２の電圧と等しく、スイッチング素子Ｑ２はＯＦＦ状態になる。これらのスイッチング素子の状態により、電源回路１１０から出力されるＬＥＤ駆動電流はすべてＬＥＤ電流１となり、ＬＥＤ電流２はゼロである。
【００５７】
時刻ｔ１０で交流電源１０１からＬＥＤ照明装置１００への電力供給がＯＮからＯＦＦに切り替わり、時刻ｔ１２で交流電源１０１からＬＥＤ照明装置１００への電力供給が再びＯＮになる。時刻ｔ１０からアノード‐カソード電圧は低下し、判定閾値未満になるとオフ検出はＨｉｇｈになり、時刻ｔ１１にて図５に示すステートＳ５０２に移行する。時刻ｔ１１でゲート電圧１はＨｉｇｈからＬｏｗに、ゲート電圧２はＬｏｗからＨｉｇｈに切り替わり、スイッチング素子Ｑ１はＯＮ状態からＯＦＦ状態に、スイッチング素子Ｑ２はＯＦＦ状態からＯＮ状態となる。そして、時刻ｔ１２にて交流電源１０１からＬＥＤ照明装置１００への電力供給が再びＯＮになったとき、電源回路１１０が再び動作するが、スイッチング素子Ｑ１がＯＦＦ状態、スイッチング素子Ｑ２がＯＮ状態となっているので、ＬＥＤ電流１はゼロであり、電源回路１１０から出力されるＬＥＤ駆動電流はすべてＬＥＤ電流２となる。時刻ｔ０から時刻ｔ１２までの間、マイコン電圧はマイクロコントローラ２１０が動作可能な電圧範囲に維持される。
【００５８】
次に時刻ｔ２０で交流電源１０１からＬＥＤ照明装置１００への電力供給がＯＮからＯＦＦに切り替わり、時刻ｔ２２で交流電源１０１からＬＥＤ照明装置１００への電力供給が再びＯＮになる。時刻ｔ２１にて色温度の切り替えが発生し、図５に示すステートＳ５０２から図５に示すステートＳ５０１へと戻る。ここでのゲート電圧１およびゲート電圧２の切り替えは時刻ｔ１０−ｔ１２間と反対の切り替えになる。
【００５９】
次に時刻ｔ３０で交流電源１０１からＬＥＤ照明装置１００への電力供給がＯＮからＯＦＦに切り替わり、時刻ｔ３３で交流電源１０１からＬＥＤ照明装置１００への電力供給が再びＯＮになる。この時刻ｔ３０−ｔ３３の期間は第１の時間よりも長く、一度はスイッチング素子Ｑ１がＯＦＦ状態、スイッチング素子Ｑ２がＯＮ状態となる（時刻ｔ３１）が、時刻ｔ３２で交流電源１０１からＬＥＤ照明装置１００への電力供給が第１の時間よりも長い第２の時間ＯＦＦになっていると、スイッチング素子Ｑ１がＯＮ状態、スイッチング素子Ｑ２がＯＦＦ状態に戻る。時刻ｔ３０から時刻ｔ３３までの間も、マイコン電圧はマイクロコントローラ２１０が動作可能な電圧範囲に維持される。
【００６０】
次に時刻ｔ４０で交流電源１０１からＬＥＤ照明装置１００への電力供給がＯＮからＯＦＦに切り替わり、時刻ｔ４３で交流電源１０１からＬＥＤ照明装置１００への電力供給が再びＯＮになる。この時刻ｔ４０−ｔ４３の期間は時刻ｔ３０−ｔ３３の期間よりも更に長く、マイコン電圧はマイクロコントローラ２１０の動作を維持できない。このような場合、時刻ｔ４３で交流電源１０１からＬＥＤ照明装置１００への電力供給が再びＯＮになったとき、初期の選択状態として図５に示すステートＳ５０１となっているので、見かけ上は時刻ｔ３３での動作と変わらない。すなわち、時刻ｔ４０で交流電源１０１からＬＥＤ照明装置１００への電力供給がＯＦＦである期間が第１の時間よりも長い第２の時間継続したとき、マイクロコントローラ２１０の制御によりステートＳ５０１に遷移する場合と、マイクロコントローラ２１０が初期化されてステートＳ５０１に遷移する場合の２通りがあるが、いずれにしても動作上は差異がない。
【００６１】
＜第２実施形態＞
図７を用いて、本発明の第２実施形態に係るＬＥＤ照明装置７００について説明する。
【００６２】
ＬＥＤ照明装置７００は、交流電源１０１からＬＥＤ照明装置１００への電力供給をＯＦＦし、所定の時間内に再び交流電源１０１からＬＥＤ照明装置１００への電力供給をＯＮすることで発光する明るさを変化させる機能を有するＬＥＤ照明装置である。ＬＥＤ照明装置１００との共通点が多いため、相違点のみ説明する。
【００６３】
切り替え回路１３０は、制御回路１２０の制御に従って、第１〜第３の状態を切り替える。
【００６４】
第１の状態では、切り替え回路１３０は、カソード線１３１とカソード線１３２の両方をカソード線１１２と電気的に接続しない。これにより、アノード側から順にＬＥＤ群１４３、１４２、および１４１の３つが直列に接続された状態になる。電力供給がＯＮされると所定の電流で駆動されるが、すべてのＬＥＤ群が所定の電流で駆動されるため、最も明るくなる。
【００６５】
第２の状態では、切り替え回路１３０は、カソード線１３１とカソード線１１２を電気的に接続し、カソード線１３２とカソード線１１２を電気的に接続しない。これにより、アノード側から順にＬＥＤ群１４３および１４２の２つが直列に接続された状態になり、電力供給がＯＮされるとこれらのＬＥＤ群が所定の電流で駆動される。
【００６６】
第３の状態では、切り替え回路１３０は、カソード線１３２とカソード線１１２を電気的に接続する。これにより、ＬＥＤ群１４３のみがアノード線１１１とカソード線１１２の間に接続された状態になり、電力供給がＯＮされるとこのＬＥＤ群が所定の電流で駆動される。
【００６７】
以上より、第１の状態、第２の状態、第３の状態の順で、点灯時のＬＥＤ照明装置７００の明るさが制御できる。制御回路１２０が、交流電源１０１からＬＥＤ照明装置７００への電力供給のＯＮ／ＯＦＦ状態にしたがって切り替え信号線１２１および１２２の電圧を制御することで、電源スイッチＳＷ１の操作により明るさを切り替えられるＬＥＤ照明装置となる。例えば、切り替え回路１３０を図２に示す構成にした場合、切り替え信号線１２１および１２２の電圧がともにＬｏｗレベルであれば第１の状態になり、切り替え信号線１２１の電圧がＨｉｇｈレベルであり切り替え信号線１２２の電圧がＬｏｗレベルであれば第２の状態になり、切り替え信号線１２２の電圧がＨｉｇｈレベルであれば第３の状態になる。そして、交流電源１０１からＬＥＤ照明装置７００への電力供給をＯＦＦし、第１の時間内に再び交流電源１０１からＬＥＤ照明装置７００への電力供給をＯＮする電源スイッチＳＷ１の操作を第１の状態から３回繰り返すと、第２の状態、第３の状態と移行してから第１の状態での点灯に戻る。
【００６８】
＜第３実施形態＞
図８を用いて、本発明の第３実施形態に係るＬＥＤ照明装置８００について説明する。
【００６９】
ＬＥＤ照明装置８００は、発光する明るさを変えることができる調光機能と、交流電源１０１からＬＥＤ照明装置１００への電力供給をＯＦＦし、所定の時間内に再び交流電源１０１からＬＥＤ照明装置１００への電力供給をＯＮすることで発光する色温度を変化させる機能とを有するＬＥＤ照明装置である。ＬＥＤ照明装置１００との共通点が多いため、相違点のみ説明する。
【００７０】
ＬＥＤ照明装置の調光方法には主に２種類ある。第１の調光方法はＰＷＭ調光であり、パルス信号のデューティ比に応じて発光する明るさを変える手法である。第２の調光方法は位相調光であり、外部電源である交流電源から出力される交流電圧を位相制御することでＬＥＤ照明装置に調光の情報を伝達し、照明装置がその情報に応じて発光する明るさを変える手法である。
【００７１】
図８に示すＬＥＤ照明装置８００で使用される電源回路８１０は、ＰＷＭ調光に対応しており、外部から外部入力端子１０５に供給されるＰＷＭ調光信号に応じて出力電流（ＬＥＤ駆動電流）の値を調整する。
【００７２】
本実施形態では、ＰＷＭ調光にて点灯する明るさを変更することができるが、ＬＥＤが点灯する場合はアノード線１１１−カソード線１１２間の電圧はある程度以上の電圧となるので、電源回路８１０より後段はＬＥＤ照明装置１００と全く同様の構成にて色温度の切り替えが実現できる。
【００７３】
特に図示はしないが、位相調光の場合には、交流電源とＬＥＤ照明装置との間に位相制御式調光器が設けられる。この場合も、交流電源からＬＥＤ照明装置への電力供給がＯＮであれば、点灯する明るさの程度の違いはあれ、ＬＥＤは点灯する。そのためにアノード線‐カソード線間の電圧はある程度の電圧となる。また、交流電源からＬＥＤ照明装置への電力供給がＯＦＦであれば、アノード線‐カソード線間の電圧は低下する。すなわち、アノード線−カソード線間の電圧に着目すると、ＬＤ照明装置１００から何ら変わることはない。したがって、ＬＥＤ照明装置１００と同じ構成で位相調光にも対応できる。電源回路１１０が位相調光に対応可能な電源回路、すなわち位相制御された入力電圧に応じて出力電流（ＬＥＤ駆動電流）の値を調整する電源回路であれば良いだけである。
【００７４】
以上のように、ＰＷＭ調光に対応する照明装置においても位相調光に対応する照明装置においても、それらの調光機能を損なうことなく、本発明を適用することができる。
【００７５】
＜第４実施形態＞
図９および図１０を用いて、本発明の第４実施形態に係るＬＥＤ照明装置９００について説明する。
【００７６】
主に家庭用シーリングライトにて、常夜灯を備えた照明装置が主流となっている。常夜灯は色温度が低く、かつ通常の照明と比較すると非常に暗い。すなわち小さなＬＥＤ単体を単純なロジック回路にて点灯制御するだけで済むため、メインとなる照明のように煩雑な制御は必要なく、通常は全く別の経路にて制御される。このような構成の常夜灯を備えた照明装置に本発明を適用することは難しい。なぜなら、メインとなる照明部に加えて常夜灯のＯＮ／ＯＦＦもモニターしなければならず、かつどちらからも制御回路の駆動電力を得られる仕組みが必要となる。ゆえに、構成や必要な追加回路が複雑になる。そこで、図９に示すＬＥＤ照明装置９００は、容易に常夜灯の代替手段を提供する構成としている。
【００７７】
ＬＥＤ照明装置９００は、常夜灯として専用のＬＥＤを用意するのではなく、色温度の低いＬＥＤ群を暗く点灯させることで常夜灯の代用をする構成となっている。制御回路１２０は、切り替え信号線１２１に印加する電圧および切り替え信号線１２２に印加する電圧に加え、ＰＷＭ信号線１２３に印加する電圧も生成する。ＬＥＤ照明装置９００は、ＬＥＤ照明装置８００と同様にＰＷＭ調光に対応した電源回路８１０を用いている。しかしながら、ＬＥＤ照明装置８００とは異なり、電源回路８１０が受け取るＰＷＭ調光信号は、外部から供給されるのではなく、制御回路１２０によって生成される。この構成により、制御回路１２０はＬＥＤ駆動をＰＷＭ調光することが可能となる。
【００７８】
ここで図１０を用いて、制御回路１２０が制御する色温度切り替えの状態遷移の一例を説明する。ステートＳ１００１〜ステートＳ１００３は点灯するために必要なＬＥＤ群の選択状態であり、選択されているＬＥＤ群は駆動電流が印加されれば点灯するＬＥＤ群である。初期の選択状態はステートＳ１００１である。ＬＥＤ群ＡはＬＥＤ群Ｂよりも色温度が低く、ＬＥＤ群１４１および１４２の一方がＬＥＤ群Ａであり他方がＬＥＤ群Ｂである。
【００７９】
ステートＳ１００１では、ＬＥＤ群Ａのみが選択され、電力供給がＯＮのときＬＥＤ群ＡのみがＰＷＭ調光にて１００％の調光にてＯＮ（点灯）する。すなわち、高い色温度で明るく点灯する。ステートＳ１００１において、電源スイッチＳＷ１の操作によって交流電源１０１からＬＥＤ照明装置９００への電力供給をＯＦＦし第１の時間が経過すると、ステートＳ１００２に移行する。ステートＳ１００２では、ＬＥＤ群Ｂのみが選択され、電力供給がＯＮのときＬＥＤ群ＢのみがＰＷＭ調光にて１００％の調光にてＯＮ（点灯）する。すなわち、低い色温度で明るく点灯する。更にステートＳ１００２において電源スイッチＳＷ１の上記操作を実行すると、ステートＳ１００３に移行する。ステートＳ１００３では、ＬＥＤ群Ｂのみが選択され、電力供給がＯＮのときＬＥＤ群ＢのみがＰＷＭ調光にて５％の調光にてＯＮ（点灯）する。すなわち低い色温度で暗く点灯する。このステートＳ１００３が常夜灯の代用となる。
【００８０】
いずれの選択状態であっても、第２の時間を超える長い期間交流電源１０１からＬＥＤ照明装置９００への電力供給がＯＦＦになるとステート１００１へ移行し、その後再び交流電源１０１からＬＥＤ照明装置９００への電力供給をＯＮにしたときに、高い色温度で明るく点灯する。
【００８１】
以上の手法により、ＬＥＤ照明装置９００は、常夜灯を備えた照明装置の代用としての機能を実現できる。
【００８２】
なお、本実施形態は第３実施形態と組み合わせて実施することも可能である。制御回路１２０によって生成されるＰＷＭ調光信号の内容と外部から供給されるＰＷＭ調光信号の内容とが一致しない場合には電源回路８１０がいずれかを優先するようにすればよい。例えば、ステートＳ１００１およびステートＳ１００２においては外部から供給されるＰＷＭ調光信号を優先し、ステートＳ１００３においては制御回路１２０によって生成されるＰＷＭ調光信号を優先するようにすればよい。この例によれば、ステートＳ１００１およびステートＳ１００２において１００％調光とならない場合がある。
【００８３】
＜その他＞
以上、本発明の各実施形態につき説明したが、本発明の範囲はこれらに限定されるものではなく、発明の趣旨を逸脱しない範囲で種々の変更を加えて実施することができる。
【００８４】
例えば、上記において説明した本発明の各実施形態では、照明装置に電力を供給する外部電源が交流電源である場合を説明したが、照明装置に電力を供給する外部電源が直流電源の場合も同様の構成（ただし電源回路１２０の動作をＡＣ／ＤＣ変換からＤＣ／ＤＣ変換に変更する）にて同様の効果が得られる。
【００８５】
また例えば、上記において説明した本発明の各実施形態では、色温度の切り替えについて２種類の色温度を有するＬＥＤ群を切り替える例を説明したが、３種類以上の色温度を有するＬＥＤ群を切り替えることも同様の構成で可能である。また、明るさの切り替えと色温度の切り替えを併用することも容易である。
【００８６】
また例えば、上記において説明した本発明の各実施形態では、光源としてＬＥＤを用いたが、ＬＥＤ以外の発光素子（例えば有機ＥＬ素子など）を光源に用いてもよい。
【００８７】
以上説明した照明装置は、複数の光源（１４１、１４２、１４３）と、外部電源（１０１）から出力される電圧を基に電源電圧を生成する電源回路（１１０、８１０）と、前記電源電圧によって駆動される制御回路（１２０）と、を備え、前記制御回路は、前記電源電圧の低下を検出し、その検出に基づいて前複数の光源の点灯状態を制御し、前記複数の光源の全体又は一部に前記電源電圧が供給される構成（第１の構成）とする。
【００８８】
このような構成によると、制御回路のために電源回路を追加や変更する必要がなくなるため、簡単な構成になる。また、外部電源からＬＥＤ照明装置への電力供給のＯＦＦを電源電圧の低下によって判断できるので、外部電源からＬＥＤ照明装置への電力供給のＯＮ／ＯＦＦにより複数の光源の点灯状態を遷移することができる。
【００８９】
上記第１の構成の照明装置において、前記制御回路は、前記電源電圧の低下を検出する検出部（２１０、Ｒ２、Ｒ３、Ｃ２）と、前記電源電圧を基に前記検出部を駆動するための検出部用電源電圧を生成する電圧生成部（Ｒ１、ＺＤ１、Ｄ１、Ｃ１、Ｃ３、Ｕ０、Ｃ４）と、を有し、前記電圧生成部は、前記検出部用電源電圧を保持するための容量（Ｃ１）を有する構成（第２の構成）とすることが好ましい。
【００９０】
このような構成によると、外部電源からＬＥＤ照明装置への電力供給がＯＦＦになっても暫くの間、制御回路を動作させることができる。
【００９１】
上記第１又は第２の構成の照明装置において、前記制御回路は、前記電源電圧を放電し且つ前記検出部及び前記電圧生成部に含まれない放電素子（Ｒ４）を有する構成（第３の構成）とすることが好ましい。
【００９２】
このような構成によると、外部電源からＬＥＤ照明装置への電力供給がＯＦＦになったことを素早く検出することができる。また、このような構成によると、大きな定格を要する部品を、電源電圧を放電し且つ検出部及び電圧生成部に含まれない放電素子に限定することもできる。
【００９３】
上記第１〜第３のいずれかの構成の照明装置において、前記制御回路は、初期状態において前記複数の光源の選択状態を第１の選択状態とし、前記電源電圧の低下が検出されてから第１の時間が経過した場合、前記複数の光源の選択状態を別の選択状態に遷移させ、前記電源電圧の低下が検出されてから前記第１の時間より長い第２の時間が経過した場合、前記複数の光源の選択状態を前記第１の選択状態にする構成（第４の構成）とすることが好ましい。
【００９４】
このような構成によると、いずれの選択状態であっても簡単な操作によって第１の選択状態（初期の選択状態）にすることができる。
【００９５】
上記第１〜第４のいずれかの構成の照明装置において、前記電源回路は調光信号に応じて出力電流の値を調整する構成（第５の構成）とすることが好ましい。
【００９６】
このような構成によると、例えば外部からの調光制御が可能となる。
【００９７】
上記第５の構成の照明装置において、前記制御回路が前記調光信号を生成する構成（第６の構成）とすることが好ましい。
【００９８】
このような構成によると、例えば常夜灯を備えた照明装置の代用としての機能を実現できる。
【００９９】
上記第６の構成の照明装置において、外部から前記調光信号が供給され、前記制御回路によって生成される前記調光信号の内容と外部から供給される前記調光信号の内容とが一致しない場合には、前記電源回路がいずれか一方を優先する構成（第７の構成）とすることが好ましい。
【０１００】
このような構成によると、例えば外部からの調光制御と常夜灯を備えた照明装置の代用としての機能との両方を実現することができる。
【符号の説明】
【０１０１】
１００、７００、８００、９００  本発明に係るＬＥＤ照明装置
１１００、１２００、１４００  従来のＬＥＤ照明装置
１０１  交流電源
１０２  モニター線
１６１、１７１、１７３  電源線
１１０、１５０、８１０  電源回路
１１１  アノード線
１１２  カソード線
１２０  制御回路
１２１、１２２  切り替え信号線
１３０  切り替え回路
１３１、１３２  カソード線
１４０、１４１、１４２、１４３  ＬＥＤ群
１６０、１７０  電源生成回路
１７２  基準電位線
１９０  電流制御回路
２１０  マイクロコントローラ
ＳＷ１  電源スイッチ
【図１】
0006495926.tif 000002
【図２】
0006495926.tif 000003
【図３】
0006495926.tif 000004
【図４】
0006495926.tif 000005
【図５】
0006495926.tif 000006
【図６】
0006495926.tif 000007
【図７】
0006495926.tif 000008
【図８】
0006495926.tif 000009
【図９】
0006495926.tif 000010
【図１０】
0006495926.tif 000011
【図１１】
0006495926.tif 000012
【図１２】
0006495926.tif 000013
【図１３】
0006495926.tif 000014
【図１４】
0006495926.tif 000015
【図１５】
0006495926.tif 000016